(57)【要約】【課題】画像の質を低下させることなく、記録媒体のベルトからの分離性を向上させたベルト搬送装置とそれを用いた画像形成装置を提供することを目的とする。【解決手段】記録媒体を搬送するベルトと、前記ベルトの内側に配置される記録媒体分離部材と、前記記録媒体分離部材の軸方向に所定間隔毎に配置され前記ベルトに離当接し当接時に前記ベルトを変形させる離当接部材と、前記離当接部材を駆動する離当接駆動手段と、を備えることを特徴とする。【選択図】図５
2010169919.tif 000002
【特許請求の範囲】
【請求項１】
記録媒体を搬送するベルトと、
前記ベルトの内側に配置さる記録媒体分離部材と、
前記記録媒体分離部材の軸方向に所定間隔毎に配置され前記ベルトに離当接し当接時に前記ベルトを変形させる離当接部材と、
前記離当接部材を駆動する離当接駆動手段と、
を備えることを特徴とするベルト搬送装置。
【請求項２】
前記離当接部材を軸に回転自在に軸支され前記ベルトに従動するプーリーの間に配置することを特徴とする請求項１に記載のベルト搬送装置。
【請求項３】
前記記録媒体分離部材を前記記録媒体の搬送方向の端部に位置し前記ベルトを巻き掛ける張架ローラーとすることを特徴とする請求項１または２に記載のベルト搬送装置。
【請求項４】
前記記録媒体分離部材を前記記録媒体の搬送方向の端部に位置し前記ベルトを巻き掛ける張架ローラーの位置より前記記録媒体搬送方向の上流側に配置することを特徴とする請求項１または２に記載のベルト搬送装置。
【請求項５】
前記離当接部材を前記軸の軸方向と直交する方向に移動可能とし、前記離当接駆動手段を往復動装置とすることを特徴とする請求項１ないし４のいずれか１項に記載のベルト搬送装置。
【請求項６】
前記離当接部材を軸方向の配置位置に応じて区分し、前記区分された離当接部材毎に前記離当接駆動手段を配置することを特徴とする請求項５に記載のベルト搬送装置。
【請求項７】
前記離当接手段を軸に固定されるカム部材とし、前記離当接駆動手段を回転駆動装置とすることを特徴とする請求項１ないし４のいずれか１項に記載のベルト搬送装置。
【請求項８】
前記カム部材を軸方向に沿って位相が異なるように配置することを特徴とする請求項７に記載のベルト搬送装置。
【請求項９】
前記離当接駆動手段を前記ベルトにより搬送される前記記録媒体の先端部位置で前記ベルトに当接するように駆動することを特徴とする請求項１ないし８のいずれか１項に記載のベルト搬送装置。
【請求項１０】
静電潜像が形成される潜像担持体と、
前記静電潜像をトナーにより現像して前記潜像担持体にトナー像を現像する現像装置と、
前記潜像担持体のトナー像が転写される転写ベルトと、
前記転写ベルトのトナー像を記録媒体に転写する転写装置と、
前記記録媒体上のトナー像を定着する定着装置と、
を備え、
前記転写装置の記録媒体搬送手段として請求項１ないし９のいずれか１項に記載のベルト搬送装置を用いることを特徴とする画像形成装置。
【請求項１１】
静電潜像が形成される潜像担持体と、
前記静電潜像をトナーにより現像して前記潜像担持体にトナー像を現像する現像装置と、
前記潜像担持体のトナー像が転写される転写ベルトと、
前記転写ベルトのトナー像を記録媒体に転写する転写装置と、
前記記録媒体上のトナー像を定着する定着装置と、
を備え、
前記定着装置は加熱ローラーと加圧ベルトを備え、前記定着装置の記録媒体搬送手段として請求項１ないし９のいずれか１項に記載のベルト搬送装置を用いることを特徴とする画像形成装置。
【発明の詳細な説明】
【技術分野】
【０００１】
本発明は、複写機、ファクシミリ、プリンター等の画像形成装置に備えられる紙等の記録媒体を搬送するベルト搬送装置と画像形成装置に関し、特に、画像の質を低下させることなく記録媒体をベルト表面から分離し紙詰まりを防止するベルト搬送装置と画像形成装置に関する。
【背景技術】
【０００２】
電子写真式の画像形成装置においては、一様に帯電した像担持体に画像情報を書き込み静電潜像を形成し、この静電潜像を現像装置により現像して可視像を形成し、その可視像を記録媒体に直接転写するか、または転写ベルトを介して記録媒体に転写し、可視像が転写された記録媒体を定着装置で定着することにより画像形成を行っている。
【０００３】
このような画像形成装置では、記録媒体のベルトへの巻き付きによる紙詰まりを防止するために、ベルトに記録媒体分離のための分離装置を配置することが提案されている。
【０００４】
特開平７−９２８２０号公報には、転写ベルトにより記録媒体を分離搬送して画像を形成する画像形成装置において、転写ベルトの記録媒体分離部のバックアップローラーに、軸方向に大径の凸部と小径の凹部を形成した分離ローラーを配置し、分離ローラーの凹部に対応する位置に、転写ベルト表面と非接触で、凸部の外径よりも軸心に近く突出させた爪部を有する分離部材を配置したベルト搬送装置が開示されている。
【０００５】
また、特開平１１−３３４９２４号公報には、駆動ローラーを含む複数の張架ローラーで張設されたベルトを駆動し、ベルトに保持された記録媒体を搬送する画像形成装置において、駆動ローラーを軸とともに回転する駆動部と、軸に従動する従動部とで構成し、従動部に駆動部より大径の凸部と駆動部より小径の凹部を形成し、駆動ローラー部から記録媒体が分離する際に記録媒体に駆動ローラーの軸心方向への波付けがなされ、記録媒体がベルトから分離する力を作用させ、記録媒体のベルトからの分離性能を向上させるベルト搬送装置が開示されている。
【先行技術文献】
【特許文献】
【０００６】
【特許文献１】特開平７−９２８２０号公報には、
【特許文献２】特開平１１−３３４９２４号公報
【発明の概要】
【発明が解決しようとする課題】
【０００７】
しかしながら、特開平７−９２８２０号公報に開示されたベルト搬送装置は、ベルトと非接触に爪部を設置するために精確な爪部の位置調整が必要であり、高い部品精度を求められ、コストアップの要因となっている。また、記録媒体は爪部のある部分から分離され、爪部の無い部分では記録媒体の分離が遅れるので分離放電による画像ムラが爪部と爪部の無い部分で発生する。さらに、記録媒体を分離するときに記録媒体上の画像部を爪部が擦れることで画像を乱すことがあり、安定した記録媒体のベルトからの分離と、高画質の画像を得ること、とを両立させることが困難であるという問題がある。
【０００８】
また、特開平１１−３３４９２４号公報に開示されたベルト搬送装置は、駆動ローラーが、駆動部と凹凸部を有する従動部とで軸方向に明確に分離されており、凹凸部を有する従動部から記録媒体が分離され、駆動部からの記録媒体の分離が遅れるため、分離放電による画像ムラが凹凸部を有する従動部と駆動部で発生する。また、従動部の凸部が常時ベルトと接触しているため、ベルト表面に傷がつき画像品質の低下となる。
【０００９】
本発明は、上記従来技術の持つ課題を解決する、画像の質を低下させることなく、記録媒体のベルトからの分離性を向上させたベルト搬送装置とそれを用いた画像形成装置を提供することを目的とする。
【課題を解決するための手段】
【００１０】
本発明のベルト搬送装置は、前記課題を解決するために、記録媒体を搬送するベルトと、前記ベルトの内側に配置される記録媒体分離部材と、前記記録媒体分離部材の軸方向に所定間隔毎に配置され前記ベルトに離当接し当接時に前記ベルトを変形させる離当接部材と、前記離当接部材を駆動する離当接駆動手段と、を備えることを特徴とする。離当接部材をベルトに当接することで、ベルトを凸側に変形させ、かつ、変形位置、タイミングを可変とすることで、ベルト表面に記録媒体が追従できない複雑なうねりを発生させ、記録媒体とベルトの間に間隙を形成し、記録媒体のベルトからの分離性を向上することができる。
【００１１】
また、本発明のベルト搬送装置は、前記離当接部材を軸に回転自在に軸支され前記ベルトに従動するプーリーの間に配置することを特徴とする。離当接部材のベルトからの離接時、ベルトがスムーズに走行できる。
【００１２】
また、本発明のベルト搬送装置は、前記記録媒体分離部材を前記記録媒体の搬送方向の端部に位置し前記ベルトを巻き掛ける張架ローラーとすることを特徴とする。記録媒体分離部材をベルトの張架ローラーとして兼用できるので、ローラーの配置数を少なくすることができる。
【００１３】
また、本発明のベルト搬送装置は、前記記録媒体分離部材を前記記録媒体の搬送方向の端部に位置し前記ベルトを巻き掛ける張架ローラーの位置より前記記録媒体搬送方向の上流側に配置することを特徴とする。記録媒体を次の工程に搬送する位置の近くで記録媒体のベルトからの分離を実施できる。
【００１４】
また、本発明のベルト搬送装置は、前記離当接部材を前記軸の軸方向と直交する方向に移動可能とし、前記離当接駆動手段を往復動装置とすることを特徴とする。単純な直線駆動で離当接部材をベルトに離当接できる。
【００１５】
また、本発明のベルト搬送装置は、前記離当接部材を軸方向の配置位置に応じて区分し、前記区分された離当接部材毎に前記離当接駆動手段を配置することを特徴とする。軸方向の配置位置に応じて区分された離当接部材のベルトへの当接のタイミングを異ならせることにより、ベルト表面に記録媒体が追従できない複雑なうねりを発生させることができる。
【００１６】
また、本発明のベルト搬送装置は、前記離当接手段を軸に固定されたカム部材とし、前記離当接駆動手段を回転駆動装置とすることを特徴とする。軸の回転駆動により離当接部材をベルトに対して離当接することができる。
【００１７】
また、本発明のベルト搬送装置は、前記カム部材を軸方向に沿って位相が異なるように配置することを特徴とする。離当接部材のベルトへの当接のタイミングを異ならせることにより、ベルト表面に記録媒体が追従できない複雑なうねりを発生させることができる。
【００１８】
また、本発明のベルト搬送装置は、前記離当接駆動手段を前記ベルトにより搬送される前記記録媒体の先端部位置で前記ベルトに当接するように駆動することを特徴とする。記録媒体の搬送方向の先端部がベルトから分離すれば記録媒体全体がベルトから分離する。
【００１９】
また、本発明の画像形成装置は、静電潜像が形成される潜像担持体と、前記静電潜像をトナーにより現像して前記潜像担持体にトナー像を現像する現像装置と、前記潜像担持体のトナー像が転写される転写ベルトと、前記転写ベルトのトナー像を記録媒体に転写する転写装置と、前記記録媒体上のトナー像を定着する定着装置と、を備え、前記転写装置の記録媒体搬送手段として上記のいずれか１つに記載のベルト搬送装置を用いることを特徴とする。転写部での記録媒体の紙詰まりを防止できる。
【００２０】
また、本発明の画像形成装置は、静電潜像が形成される潜像担持体と、前記静電潜像をトナーにより現像して前記潜像担持体にトナー像を現像する現像装置と、前記潜像担持体のトナー像が転写される転写ベルトと、前記転写ベルトのトナー像を記録媒体に転写する転写装置と、前記記録媒体上のトナー像を定着する定着装置と、を備え、前記定着装置は加熱ローラーと加圧ベルトを備え、前記定着装置の記録媒体搬送手段として上記のいずれか１つに記載のベルト搬送装置を用いることを特徴とする。定着部での記録媒体の紙詰まりを防止できる。
【図面の簡単な説明】
【００２１】
【図１】本発明の画像形成装置の実施形態の全体を示す図である。
【図２】本発明を二次転写部に適用した実施形態を示す図である。
【図３】本発明を二次転写部に適用した実施形態を示す図である。
【図４】本発明を定着部に適用した実施形態を示す図である。
【図５】記録媒体分離部材の一実施形態を示す図である。
【図６】離当接部材の一実施形態を示す図である。
【図７】離当接部材のベルトへの当接によるベルトの変形状態を示す図である。
【図８】記録媒体分離部材の一実施形態を示す図である。
【図９】記録媒体分離部材の一実施形態を示す図である。
【図１０】記録媒体分離部材の一実施形態を示す図である。
【図１１】記録媒体分離部材の一実施形態を示す図である。
【発明を実施するための形態】
【００２２】
以下、本発明の実施の形態を図面に基づいて説明する。図１は、本発明の画像形成装置の実施の形態の一例を示す図である。
【００２３】
図１に示すように、画像形成装置１０は、４つの画像形成ステーション１５（Ｙ、Ｍ、Ｃ、Ｋ）、中間転写ベルト７０、二次転写ユニット８０を有し、さらに、定着ユニット９０、ユーザへの報知手段をなし液晶パネルからなる表示ユニット（図示せず）、及び、これらのユニット等を制御し画像形成装置としての動作を司る制御ユニット（図示せず）を有している。
【００２４】
画像形成ステーション１５（Ｙ、Ｍ、Ｃ、Ｋ）は、それぞれ、イエロー（Ｙ）、マゼンタ（Ｍ）、シアン（Ｃ）、ブラック（Ｋ）のトナーで画像を形成する機能を有している。画像形成ステーション１５（Ｙ、Ｍ、Ｃ、Ｋ）の構成は同様であるので、以下、画像形成ステーション１５Ｙについて説明する。
【００２５】
画像形成ステーション１５Ｙは、図１に示すように、像担持体の一例としての感光体２０Ｙの回転方向に沿って、帯電ユニット３０Ｙ、露光ユニット４０Ｙ、現像ユニット５０Ｙ、一次転写ユニットを有している。
【００２６】
感光体２０Ｙは、円筒状の基材とその外周面に形成された感光層を有し、中心軸を中心に回転可能であり、本実施の形態においては、矢印で示すように時計回りに回転する。
【００２７】
帯電ユニット３０Ｙは、感光体２０Ｙを帯電するための装置である。露光ユニット４０Ｙからは、レーザを照射することによって帯電された感光体２０Ｙ上に潜像を形成する。
【００２８】
露光ユニット４０Ｙは、半導体レーザ、ポリゴンミラー、Ｆ−θレンズ等を有しており、パーソナルコンピューター、ワードプロセッサ等の不図示のホストコンピューターから入力された画像信号に基づいて、変調されたレーザを帯電された感光体２０Ｙ上に照射する。
【００２９】
現像ユニット５０Ｙは、感光体２０Ｙ上に形成された潜像を、イエロー（Ｙ）のトナーを用いて現像するための装置である。現像ユニット５０Ｙは、交換可能なトナーカートリッジからトナーが供給される現像室内に現像ローラー５１Ｙ、供給ローラー５２Ｙが配置され、現像ローラー５１Ｙには、規制ブレード５３Ｙが当接し現像ローラー５１Ｙ上のトナーを薄層化する。
【００３０】
一次転写ユニットは、一次転写部Ｂ１で一次転写ローラー６５Ｙにより一次転写バイアスが印加され、感光体２０Ｙに形成されたイエロートナー像を中間転写ベルト７０に転写する。各一次転写部Ｂ１、Ｂ２、Ｂ３、Ｂ４で４色のトナーが順次重ねて転写された場合には、中間転写ベルト７０にフルカラートナー像が形成される。
【００３１】
中間転写ベルト７０は、ベルト駆動ローラー７１ａ、従動ローラー７１ｂ、７１ｄ、７１ｅ、７１ｆに張架されたエンドレスのベルトであり、感光体２０（Ｙ、Ｍ、Ｃ、Ｋ）と当接しながら回転駆動される。
【００３２】
二次転写ユニット８０は、中間転写ベルト７０上に形成された単色トナー像やフルカラートナー像を紙、フィルム、布等の記録媒体に転写するための装置である。
【００３３】
定着ユニット９０は、加熱ローラー９０ａと加圧ベルト９０ｂにより構成され、記録媒体上に転写された単色トナー像やフルカラートナー像を記録媒体に融着させて永久像とするための装置である。
【００３４】
次に、このように構成された画像形成装置１０の動作について説明する。まず、不図示のホストコンピューターからの画像信号及び制御信号がインターフェイスを介して画像形成装置のメインコントローラーに入力されると、このメインコントローラーからの指令に基づくユニットコントローラーの制御により感光体２０Ｙ、現像ユニット５０Ｙに備えられた現像ローラー５１Ｙ、及び、中間転写ベルト７０等が回転する。感光体２０Ｙは、回転しながら、帯電位置において帯電ユニット３０Ｙにより順次帯電される。
【００３５】
感光体２０Ｙの帯電された領域は、感光体２０Ｙの回転に伴って露光位置に至り、露光ユニット４０Ｙによって、イエローＹの画像情報に応じた潜像が該領域に形成される。
【００３６】
感光体２０Ｙ上に形成された潜像は、感光体２０Ｙの回転に伴って現像位置に至り、現像ユニット５０Ｙによって現像される。これにより、感光体２０Ｙ上にトナー像が形成される。
【００３７】
感光体２０Ｙ上に形成されたトナー像は、感光体２０Ｙの回転に伴って一次転写部Ｂ１位置に至り、一次転写ユニットによって、中間転写ベルト７０に転写される。この際、一次転写ユニットでは、一次転写ローラー６５Ｙからトナーの帯電極性とは逆の極性の一次転写電圧が印加される。この結果、各感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００３８】
中間転写ベルト７０は、モータ等のベルト駆動手段からの駆動力がベルト駆動ローラー７１ａを介して伝達されることによって駆動される。
【００３９】
中間転写ベルト７０上に形成されたフルカラートナー像は、二次転写ユニット８０によって紙等の記録媒体に転写される。二次転写ユニット８０は、中間転写ベルト７０を挟んでバックアップローラーとしてのベルト駆動ローラー７１ａと二次転写ローラー８２が対峙している。二次転写ローラー８２からトナーと逆極性の二次転写電圧が印加され、中間転写ベルト７０に転写されたトナー像を記録媒体に二次転写する。記録媒体は、給紙トレイから、給紙ローラー、ゲートローラー９４、搬送ガイド９４ａを介して二次転写ユニット８０へ搬送される。
【００４０】
二次転写ユニット８０でフルカラートナー像が転写された記録媒体は、搬送ガイド９４ｂを介して定着ユニット９０に搬送される。定着ユニット９０は、ハロゲンヒータ等の発熱体を内蔵して所定の定着温度に温度制御されるとともに回転駆動される加熱ローラー９０ａと、２つの張架ローラー９０ｃ、９０ｄに張架された加圧ベルト９０ｂから構成される。定着ユニット９０で加熱加圧されてトナー像が記録媒体に融着される。定着ユニット９０の通過後、記録媒体は搬送ガイド９５ａを介して排紙ローラー９５により排紙される。
【００４１】
一方、感光体２０（Ｙ、Ｍ、Ｃ、Ｋ）は一次転写部Ｂ１、Ｂ２、Ｂ３、Ｂ４位置を経過した後に、除電ユニット（図示せず）によって除電され、次の潜像を形成するための帯電に備える。
【００４２】
二次転写後の中間転写ベルト７０の従動ローラー７１ｂ側に中間転写ベルトクリーニング装置（図示せず）が設置され、二次転写後の中間転写ベルト７０をクリーニングする。
【００４３】
図２は、本発明の記録媒体のベルトからの分離性を向上させる記録媒体分離部材１００を二次転写ユニット８０に適用した実施形態を示す図である。
【００４４】
二次転写ユニット８０は、中間転写ベルト７０を巻き掛ける張架ローラー７１ｄ、７１ｆとの間にベルト駆動ローラー７１ａが位置し、ベルト駆動ローラー７１ａをバックアップローラーとして二次転写ローラー８２が中間転写ベルト７０を介して当接し、二次転写部を形成する。記録媒体は、ゲートローラー９４、搬送ガイド９４ａを介して二次転写部に搬送され、二次転写ローラー８２からトナーと逆極性の二次転写電圧が印加され、中間転写ベルト７０に転写されたトナー像を記録媒体に二次転写する。トナー像が転写された記録媒体は、除電装置９６により除電される。中間転写ベルト７０の移動方向は張架ローラー７１ｄにより変更される。トナー像が転写された記録媒体は、張架ローラー７１ｄにより移動方向が変更される中間転写ベルト７０から分離され、搬送ガイド９４ｂを介して次の工程である定着ユニット９０に搬送される。
【００４５】
この二次転写ユニット８０での記録媒体の搬送で、記録媒体の中間転写ベルト７０からの分離がなされないと、記録媒体は張架ローラー７１ｄ側に巻き付き、紙詰まりが発生する。特に記録媒体が薄紙の場合は巻き付きによる紙詰まりが多く発生する。それを防止するために、記録媒体分離部材１００を二次転写部と記録媒体の搬送路の端部に位置する張架ローラー７１ｄの間に配置する。記録媒体分離部材１００を配置することにより、二次転写後の記録媒体は、中間転写ベルト７０から分離され、搬送ガイド９４ｂを経て定着ユニット９０に搬送される。
【００４６】
図３は、本発明の記録媒体のベルトからの分離性を向上させる記録媒体分離部材１００を二次転写ユニット８０に適用した他の実施形態を示す図である。この実施形態では、記録媒体の搬送路の端部に位置する張架ローラー７１ｄの配置位置に、張架ローラーを兼ねる記録媒体分離部材１００を配置する。記録媒体分離部材１００が張架ローラーを兼ねるのでローラーの配置を少なくすることができ、二次転写後の記録媒体は、中間転写ベルト７０から分離され、搬送ガイド９４ｂを経て定着ユニット９０に搬送される。
【００４７】
図４は、本発明の記録媒体のベルトからの分離性を向上させる記録媒体分離部材１００を定着ユニット９０に適用した実施形態を示す図である。
【００４８】
定着ユニット９０は、ハロゲンヒータ等の発熱体を内蔵して所定の定着温度に温度制御されるとともに回転駆動される加熱ローラー９０ａと、２つの張架ローラー９０ｃ、９０ｄに張架された加圧ベルト９０ｂから構成される。張架ローラー９０ｃ、９０ｄ間の搬送路において、記録媒体の搬送方向下流側の搬送路の端部に位置する張架ローラー９０ｃ寄りの記録媒体の搬送方向の上流側に記録媒体分離部材１００を配置する。記録媒体分離部材１００を配置することにより、定着後の記録媒体は、加圧ベルト９０ｂから分離され、搬送ガイド９５ａを経て排紙ローラー９５に搬送され、排紙される。
【００４９】
図５、図６、図７は、本発明の記録媒体のベルトからの分離性を向上させる記録媒体分離部材１００の第１実施形態を示す図である。
【００５０】
記録媒体分離部材１００は、軸１０１に回転自在で軸方向の移動を拘束されたプーリー１０２が所定間隔をおいて複数配置される。プーリー１０２は、中間転写ベルト７０または加圧ベルト９０ｂの内側に常時接触し、中間転写ベルト７０または加圧ベルト９０ｂに従動する。
【００５１】
プーリー１０２とプーリー１０２との間に離当接部材１０３が配置される。第１実施形態の離当接部材１０３は、軸１０１の軸方向と直交する方向に移動可能に設置される。図６に示されるように、離当接部材１０３には長孔１０３ａが形成されている。軸１０１の離当接部材１０３の配置位置がＤカットされている。Ｄカットされた軸１０１の径を長孔１０３ａのうち長さが短い孔の径とほぼ同じとする。軸１０１のＤカット部１０１ａに離当接部材１０３の長孔１０３ａが嵌挿される。その結果、離当接部材１０３は、軸１０１に対して回転が拘束され、長孔１０３ａと軸１０１のＤカット部１０１ａが離当接部材１０３の軸方向と直交する方向の移動をガイドする。しかし、この実施形態の離当接部材１０３は、図６に示されるものに限定されるものではない。
【００５２】
離当接部材１０３は、軸１０１の軸方向と平行に延びる連結部材１０５に固定される。連結部材１０５には、離当接駆動手段１０４としてアクチュエータ等の往復動装置が連結される。離当接駆動手段１０４の往復動が連結部材１０５を介して離当接部材１０３に伝達され、離当接部材１０３は中間転写ベルト７０または加圧ベルト９０ｂの内側に離当接する。
【００５３】
図７に示されるように、複数の離当接部材１０３が中間転写ベルト７０または加圧ベルト９０ｂの内側に当接すると、中間転写ベルト７０または加圧ベルト９０ｂの外側が凸側に変形する。その結果、中間転写ベルト７０または加圧ベルト９０ｂの記録媒体を搬送する表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。離当接駆動手段１０４の駆動による離当接部材１０３の中間転写ベルト７０または加圧ベルト９０ｂの内側への当接のタイミングは、記録媒体２００の先端部の位置とするのが好ましい。記録媒体の先端部が中間転写ベルト７０または加圧ベルト９０ｂの表面から分離すれば、後続部は先端部に追随して分離する。記録媒体２００の先端部の位置で離当接部材１０３を中間転写ベルト７０または加圧ベルト９０ｂの内側に当接するタイミングを制御するために、例えば、ゲートローラー９４からの給紙信号に基づいて離当接駆動手段１０４の駆動を制御する。
【００５４】
図８は、本発明の記録媒体のベルトからの分離性を向上させる記録媒体分離部材１００の第２実施形態を示す図である。
【００５５】
記録媒体分離部材１００は、軸１０１に回転自在で軸方向の移動を拘束されたプーリー１０２が所定間隔をおいて複数配置される。プーリー１０２は、中間転写ベルト７０または加圧ベルト８０ｂの内側と常時接触し、中間転写ベルト７０または加圧ベルト９０ｂに従動する。
【００５６】
プーリー１０２とプーリー１０２との間に離当接部材１０３が配置される。第２実施形態の離当接部材１０３は、軸１０１の軸方向と直交する方向に移動可能に設置される。第２実施形態では、記録媒体分離部材１００の離当接部材１０３を軸方向の配置位置に応じて中央部、端部にそれぞれ区分する。区分された離当接部材１０３をそれぞれ異なる連結部材１０５で連結する。中央部、端部に区分された連結部材１０５に離当接駆動手段１０４がそれぞれ配置される。この実施形態の離当接駆動手段１０４は、往復動装置である。
【００５７】
記録媒体分離部材１００の軸方向の配置位置に応じて区分された離当接部材１０３を、それぞれの離当接駆動手段１０４で駆動する場合、例えば、中央部の離当接駆動手段１０４の駆動のタイミングを。端部の離当接駆動手段１０４の駆動のタイミングより早くする。そうすることにより、中間転写ベルト７０または加圧ベルト９０ｂの記録媒体を搬送する表面に記録媒体２００が追従できないより複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。また、記録媒体の中央部からの剥離を順次両端部に向けて滑らかに伝達させることができるため、記録媒体２００の中間転写ベルト７０または加圧ベルト９０ｂからの分離性を向上することができる。
【００５８】
図９は、本発明の記録媒体のベルトからの分離性を向上させる記録媒体分離部材１００の第３実施形態を示す図である。
【００５９】
記録媒体分離部材１００は、軸１０１に回転自在で軸方向の移動を拘束されたプーリー１０２が所定間隔をおいて複数配置される。プーリー１０２は、中間転写ベルト７０または加圧ベルト９０ｂの内側と常時接触し、中間転写ベルト７０または加圧ベルト９０ｂに従動する。
【００６０】
プーリー１０２とプーリー１０２との間に離当接部材１０３が配置される。第３実施形態の離当接部材１０３は、軸１０１に固定されるカム形状の部材で構成される。カム形状は、軸１０１の回転によりカム形状の離当接部材１０３が中間転写ベルト７０または加圧ベルト９０ｂの内側に離当接し、当接時に中間転写ベルトまたは加圧ベルト９０ｂを外側に凸に変形するように形成される。この実施形態の離当接駆動手段１０４は、例えば、１回転クラッチを備えた回転駆動装置である。
【００６１】
軸１０１が離当接駆動手段１０４の駆動により回転し、軸１０１に固定されたカム形状の複数の離当接部材１０３が中間転写ベルト７０または加圧ベルト９０ｂの内側に当接すると、中間転写ベルト７０または加圧ベルト９０ｂの記録媒体を搬送する表面が凸側に変形する。その結果、中間転写ベルト７０または加圧ベルト９０ｂの表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。離当接駆動手段１０４の駆動による離当接部材１０３の中間転写ベルト７０または加圧ベルト９０ｂへの当接のタイミングは、記録媒体２００の先端部の位置とする。記録媒体の先端部が中間転写ベルト７０または加圧ベルト９０ｂの表面から分離すれば、後続部は先端部に追随して分離する。記録媒体２００の先端部の位置で離当接部材１０３を中間転写ベルト７０または加圧ベルト９０ｂに当接するために、例えば、ゲートローラー９４からの給紙信号に基づいて離当接駆動手段１０４の駆動を制御する。
【００６２】
図１０は、本発明の記録媒体のベルトからの分離性を向上させる記録媒体分離部材１００の第４実施形態を示す図であり、図１１は図１０の斜視図である。
【００６３】
記録媒体分離部材１００は、軸１０１に回転自在で軸方向の移動を拘束されたプーリー１０２が所定間隔をおいて複数配置される。プーリー１０２は、中間転写ベルト７０または加圧ベルト９０ｂと常時接触し、中間転写ベルト７０または加圧ベルト９０ｂに従動する。
【００６４】
プーリー１０２とプーリー１０２との間に離当接部材１０３が配置される。第４実施形態の離当接部材１０３は、軸１０１に固定されるカム形状の部材で構成される。カム形状、軸１０１の回転によりカム部材が中間転写ベルト７０または加圧ベルト９０ｂに離当接し、当接時に中間転写ベルト７０または加圧ベルト９０ｂを変形するように形成される。この実施形態の離当接駆動手段１０４は、例えば、１回転クラッチを備えた回転駆動装置である。
【００６５】
この実施形態では、カム形状の離当接部材１０３の軸１０１への固定を、軸方向に沿って離当接部材１０３のカム形状の位置がずれるようにする。軸方向に沿って離当接部材１０３のカム形状の位置がずれるように配置することにより、軸１０１の回転によるカム形状の離当接部材１０３の中間転写ベルト７０または加圧ベルト９０ｂへの当接のタイミングを軸方向に沿ってずらすことができる。例えば、軸方向の中央部から両端部に向かって、中間転写ベルト７０または加圧ベルト９０ｂへの当接のタイミングが遅れるようにカム形状の離当接部材１０３を配置することにより、中間転写ベルト７０または加圧ベルト９０ｂの表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。また、記録媒体の中央部からの剥離を順次両端部に向けて滑らかに伝達させることができるため、記録媒体２００の中間転写ベルト７０または加圧ベルト９０ｂからの分離性を向上することができる。離当接駆動手段１０４の駆動による離当接部材１０３の中間転写ベルト７０または加圧ベルト９０ｂへの当接のタイミングは、記録媒体２００の先端部の位置とする。記録媒体の先端部が中間転写ベルト７０または加圧ベルト９０ｂの表面から分離すれば、後続部は先端部に追随して分離する。記録媒体２００の先端部の位置で離当接部材１０３を中間転写ベルト７０または加圧ベルト９０ｂに当接するために、例えば、ゲートローラー９４からの給紙信号に基づいて離当接駆動手段１０４の駆動を制御する。
【符号の説明】
【００６６】
１０：画像形成装置、１５（Ｙ、Ｍ、Ｃ、Ｋ）：画像形成ステーション、２０（Ｙ、Ｍ、Ｃ、Ｋ）：感光体、３０（Ｙ、Ｍ、Ｃ、Ｋ）：帯電ユニット、４０（Ｙ、Ｍ、Ｃ、Ｋ）：露光ユニット、５０（Ｙ、Ｍ、Ｃ、Ｋ）：現像ユニット、６５（Ｙ、Ｍ、Ｃ、Ｋ）：一次転写ローラー、７０：中間転写ベルト、７１ａ：ベルト駆動ローラー、７１ｂ、７１ｄ、７１ｅ，７１ｆ：張架ローラー，８０：二次転写ユニット、８２：二次転写ローラー、９０：定着ユニット、９０ａ：加熱ローラー、９０ｂ：加圧ベルト、９０ｃ、９０ｄ：張架ローラー、９４：ゲートローラー、９４ａ，９４ｂ：搬送ガイド、９５：排紙ローラー、９５ａ：搬送ガイド，９６：除電装置，１００：記録媒体分離部材、１０１：軸、１０１ａ：Ｄカット部、１０２：プーリー、１０３：離当接部材、１０３ａ：長孔、１０４：離当接駆動手段、１０５：連結部材、２００：記録媒体
【図１】
2010169919.tif 000003
【図２】
2010169919.tif 000004
【図３】
2010169919.tif 000005
【図４】
2010169919.tif 000006
【図５】
2010169919.tif 000007
【図６】
2010169919.tif 000008
【図７】
2010169919.tif 000009
【図８】
2010169919.tif 000010
【図９】
2010169919.tif 000011
【図１０】
2010169919.tif 000012
【図１１】
2010169919.tif 000013